【事件の表示】
　特許第３３７８６２２号「テープ印刷装置」の請求項１ないし４に係る特許に対する特許異議の申立てについて、次のとおり決定する。
【結　論】
　訂正を認める。
　特許第３３７８６２２号の請求項１ないし３に係る特許を取り消す。
【理　由】
第１　手続の経緯
　本件の出願から本決定に至るまでの主な経緯は次のとおりである。
・平成５年９月２１日　本件出願（特願平５−２５９２０１号）
・平成１４年１２月６日　特許第３３７８６２２号として設定登録（請求項１〜請求項４）
・平成１５年８月１１日付け　特許異議申立人村田優子より、請求項１〜請求項４に係る発明についての特許に対して特許異議申立
・平成１５年１２月５日付け　当審にて取消理由通知
・平成１６年２月１６日付け　特許権者より特許異議意見書及び訂正請求書提出（以下、この訂正請求による訂正を「本件訂正」という。）
・平成１６年１０月１５日付け　特許異議申立人村田優子宛て審尋
・平成１６年１１月２５日付け　特許異議申立人村田優子より回答書提出
　
第２　訂正の可否の判断
　
１．訂正の内容
　
［訂正事項ａ］
　特許請求の範囲を、本件訂正前の
「【請求項１】入力された文字や記号等のデータに基づいて出力用のドットイメージデータを作成するデータ作成装置と、印字媒体としてのテープが巻装されたテープカセットが着脱可能に装着され、そのテープに前記ドットイメージデータに基づいて文字や記号等を印刷するテーププリンタと、を接続線を介して接続した分離型のテープ印刷装置において、
　前記テーププリンタは、前記テープカセットに形成され、巻装されたテープに関する情報を表示するカセット情報表示部を検出するカセット情報検出手段と、該カセット情報検出手段により検出されたカセット情報を、前記接続線を介して前記データ作成装置に送信するカセット情報送信手段と、を備え、
　前記データ作成装置は、前記テーププリンタのカセット情報送信手段から、前記接続線を介して送信されたカセット情報を受信するカセット情報受信手段と、該カセット情報受信手段により受信されたカセット情報を視認可能に表示する表示手段とを備え、
　前記データ作成装置により出力用のドットイメージデータを作成したときに設定されたカセット情報と、前記テーププリンタのカセット情報検出手段により検出されたカセット情報とが同一であるか否かを照合するカセット情報照合手段を備え、両者が同一でない場合にはその旨を前記表示手段に表示するようにしたことを特徴とするテープ印刷装置。
【請求項２】前記テープカセットに形成されたカセット情報表示部は、テープカセットに巻装されたテープの幅に関する情報を表示するものであることを特徴とする請求項１に記載のテープ印刷装置。
【請求項３】前記テープカセットに形成されたカセット情報表示部は、テープカセットに巻装されたテープの色に関する情報を表示するものであることを特徴とする請求項１又は請求項２に記載のテープ印刷装置。
【請求項４】 前記テープカセットに形成されたカセット情報表示部は、テープカセットに巻装されたテープの種類に関する情報を表示するものであることを特徴とする請求項１乃至請求項３のいずれかに記載のテープ印刷装置。」から
「【請求項１】入力された文字や記号等のデータに基づいて出力用のドットイメージデータを作成するデータ作成装置と、印字媒体としての巻装されたテープが収納されたテープカセットが着脱可能に装着され、そのテープに前記ドットイメージデータに基づいて文字や記号等を印刷するテーププリンタと、を接続線を介して接続した分離型のテープ印刷装置において、
　前記テーププリンタは、前記テープカセットに形成され、前記テープカセットに収納された巻装されたテープの幅に関する情報を表示するカセット情報表示部を検出するカセット情報検出手段と、該カセット情報検出手段により検出されたカセット情報を、前記接続線を介して前記データ作成装置に送信するカセット情報送信手段と、を備え、
　前記データ作成装置は、前記テーププリンタのカセット情報送信手段から、前記接続線を介して送信されたカセット情報を受信するカセット情報受信手段と、該カセット情報受信手段により受信されたカセット情報を視認可能に表示する表示手段とを備え、
　前記データ作成装置により出力用のドットイメージデータを作成したときに設定されたカセット情報と、前記テーププリンタのカセット情報検出手段により検出されたカセット情報とが同一であるか否かを照合するカセット情報照合手段を備え、両者が同一でない場合にはその旨を前記表示手段に表示するようにしたことを特徴とするテープ印刷装置。
【請求項２】前記テープカセットに形成されたカセット情報表示部は、テープカセットに収納された巻装されたテープの色に関する情報を表示するものであることを特徴とする請求項１に記載のテープ印刷装置。
【請求項３】前記テープカセットに形成されたカセット情報表示部は、テープカセットに収納された巻装されたテープの種類に関する情報を表示するものであることを特徴とする請求項１又は請求項２のいずれかに記載のテープ印刷装置。」と訂正する。
　
［訂正事項ｂ−１］
　本件訂正前の発明の詳細な説明における【０００９】に記載された「印字媒体としてのテープが巻装されたテープカセット」、「巻装されたテープに関する情報」をそれぞれ「印字媒体としての巻装されたテープが収納されたテープカセット」、「前記テープカセットに収納された巻装されたテープの幅に関する情報」と訂正する。
　
［訂正事項ｂ−２］
　本件訂正前の発明の詳細な説明における【００１０】に記載された「テープカセットに巻装されたテープの幅に関する情報」を「テープカセットに収納された巻装されたテープの色に関する情報」と訂正する。
　
［訂正事項ｂ−３］
　本件訂正前の発明の詳細な説明における【００１１】に記載された「テープカセットに巻装されたテープの色に関する情報」を「テープカセットに収納された巻装されたテープの種類に関する情報」と訂正する。
　
［訂正事項ｂ−４］
　本件訂正前の発明の詳細な説明における【００１２】を削除する。
　
［訂正事項ｃ−１］
　本件訂正前の発明の詳細な説明における【００１５】に記載された「テーププリンタに装着されたテープカセットのテープに関する情報」、「プリンタに装着されているテープカセットのテープに関する情報」をそれぞれ「テーププリンタに装着されたテープカセットに収納された巻装されたテープの幅に関する情報」、「プリンタに装着されているテープカセットのテープの幅に関する情報」と訂正する。
　
［訂正事項ｃ−２］
　本件訂正前の発明の詳細な説明における【００１６】に記載された「このように、プリンタに装着されたテープカセットのテープに関する情報が検出されてデータ作成装置に送信され、データ作成装置に備えた表示手段に表示されるので、別体であるテーププリンタの所へ移動することなく、その表示を介してテープカセットのテープに関する情報をデータ作成装置側で簡単に認識できる。」を「このように、前記テープカセットに形成されたカセット情報表示部は、プリンタに装着されたテープカセットに収納された巻装されたテープの幅に関する情報を表示し、そのテープの幅に関する情報が検出されてデータ作成装置に送信され、データ作成装置に備えた表示手段に表示されるので、別体であるテーププリンタの所へ移動することなく、その表示を介してテープカセットのテープの幅に関する情報をデータ作成装置側で簡単に認識できる。」と訂正する。
　
［訂正事項ｃ−３］
　本件訂正前の発明の詳細な説明における【００１７】に記載された「また、請求項２のテープ印刷装置においては、更に、前記テープカセットに形成されたカセット情報表示部は、テープカセットに巻装されたテープの幅に関する情報を表示するので、プリンタに装着されているテープカセットのテープの幅に関する情報をデータ作成装置側で認識することができる。」を「また、請求項２のテープ印刷装置においては、更に、前記テープカセットに形成されたカセット情報表示部は、テープカセットに収納された巻装されたテープの色に関する情報を表示するので、プリンタに装着されているテープカセットのテープの色に関する情報をデータ作成装置側で認識することができる。」と訂正する。
　
［訂正事項ｃ−４］
　本件訂正前の発明の詳細な説明における【００１８】に記載された「また、請求項３のテープ印刷装置においては、更に、前記テープカセットに形成されたカセット情報表示部は、テープカセットに巻装されたテープの色に関する情報を表示するので、プリンタに装着されているテープカセットのテープの色に関する情報をデータ作成装置側で認識することができる。」を「また、請求項３のテープ印刷装置においては、更に、前記テープカセットに形成されたカセット情報表示部は、テープカセットに収納された巻装されたテープの種類に関する情報を表示するので、プリンタに装着されているテープカセットのテープの種類に関する情報をデータ作成装置側で認識することができる。」と訂正する。
　
［訂正事項ｃ−５］
　本件訂正前の発明の詳細な説明における【００１９】を削除する。
　
［訂正事項ｄ−１］
　本件訂正前の発明の詳細な説明における【００７７】に記載された「請求項１のテープ印刷装置によれば、テーププリンタは、カセット情報検出手段と、カセット情報送信手段とを備え、データ作成装置は、カセット情報受信手段と、表示手段とを備えたことにより、テーププリンタに装着されたテープカセットのテープに関する情報が検出されてデータ作成装置に送信され、データ作成装置に備えた表示手段に表示されるので、別体であるテーププリンタの所へ移動することなく、その表示を介してテープカセットのテープに関する情報をデータ作成装置側で簡単に認識できる。」を「請求項１のテープ印刷装置によれば、テーププリンタは、カセット情報検出手段と、カセット情報送信手段とを備え、データ作成装置は、カセット情報受信手段と、表示手段とを備えたことにより、前記テープカセットに形成されたカセット情報表示部は、テーププリンタに装着されたテープカセットに収納された巻装されたテープの幅に関する情報を表示し、そのテープの幅に関する情報が検出されてデータ作成装置に送信され、データ作成装置に備えた表示手段に表示されるので、別体であるテーププリンタの所へ移動することなく、その表示を介してテープカセットのテープの幅に関する情報をデータ作成装置側で簡単に認識できる。」と訂正する。
　
［訂正事項ｄ−２］
　本件訂正前の発明の詳細な説明における【００７８】に記載された「請求項２のテープ印刷装置によれば、前記テープカセットに形成されたカセット情報表示部は、テープカセットに巻装されたテープの幅に関する情報を表示するので、別体であるテーププリンタの所へ移動することなく、その表示を介してテープカセットのテープの幅に関する情報をデータ作成装置側で簡単に認識できる。」を「請求項２のテープ印刷装置によれば、前記テープカセットに形成されたカセット情報表示部は、テープカセットに収納された巻装されたテープの色に関する情報を表示するので、別体であるテーププリンタの所へ移動することなく、その表示を介してテープカセットのテープの色に関する情報をデータ作成装置側で簡単に認識できる。」と訂正する。
　
［訂正事項ｄ−３］
　本件訂正前の発明の詳細な説明における【００７９】に記載された「請求項３のテープ印刷装置によれば、前記テープカセットに形成されたカセット情報表示部は、テープカセットに巻装されたテープの色に関する情報を表示するので、別体であるテーププリンタの所へ移動することなく、その表示を介してテープカセットのテープの色に関する情報をデータ作成装置側で簡単に認識できる。」を「請求項３のテープ印刷装置によれば、前記テープカセットに形成されたカセット情報表示部は、テープカセットにに収納された巻装されたテープの種類に関する情報を表示するので、別体であるテーププリンタの所へ移動することなく、その表示を介してテープカセットのテープの種類に関する情報をデータ作成装置側で簡単に認識できる。」と訂正する。
　
［訂正事項ｄ−４］
　本件訂正前の発明の詳細な説明における【００８０】を削除する。
　
２．訂正目的の適否、新規事項追加の有無及び特許請求の範囲の拡張・変更の存否について
　訂正事項ａのうち、本件訂正前の「テープが巻装されたテープカセット」、「巻装されたテープ」をそれぞれ「巻装されたテープが収納されたテープカセット」、「テープカセットに収納された巻装されたテープ」と訂正する訂正事項は、巻装されたテープがテープカセットに収納されていることを明りょうにするものであり、明りょうでない記載の釈明に該当する。また、訂正事項ａのうち、本件訂正前の請求項１を削除するとともに、本件訂正前の請求項２を本件訂正前の請求項１を引用することなく独立形式に記載した請求項１とし、本件訂正前の請求項１又は請求項２を引用して記載した本件訂正前の請求項３を本件訂正後の請求項１を引用して記載した請求項２とし、本件訂正前の請求項１乃至請求項３を引用して記載した本件訂正前の請求項４を本件訂正後の請求項１又は請求項２を引用して記載した請求項３とする訂正事項は、特許請求の範囲の減縮に該当する。
　訂正事項ｂ〜訂正事項ｄに係る訂正は、訂正事項ａに係る特許請求の範囲の訂正と整合させるため、発明の詳細な説明を訂正するものであり、明りようでない記載の釈明を目的とするものである。
　また、訂正事項ａ〜訂正事項ｄは、それぞれ願書に添付した明細書又は図面（以下、「特許明細書」という。）における「印刷機構ＰＭに着脱自在に矩形状のテープ収納カセットＣＳが装着されており、このテープ収納カセットＣＳには、透明なラミネートフィルム８が巻装されたテープスプール９と、インクリボン１０が巻装されたリボン供給スプール１１と、このインクリボン１０を巻取る巻取りスプール１２と、ラミネートフィルム８と同一幅を有する両面テープ１３が剥離紙を外側にして巻装された供給スプール１４と、これらラミネートフィルム８と両面テープ１３とを接合させる接合ローラ１５とが回転自在に設けられている。」（【００２７】）等の記載に基づくものであるから、特許明細書に記載した事項の範囲内でなされた訂正である。
　そして、訂正事項ａ〜訂正事項ｄが、特許請求の範囲を実質上拡張又は変更するものでないことは明らかである。
　
３．訂正の可否の判断の結論
　以上のとおりであるから、本件訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、本件訂正を認める。
　
第３　特許異議申立についての判断
　
１．本件発明の認定
　上記したとおり、本件訂正が認められるから、本件の請求項１〜請求項３に係る発明（以下、請求項番号に従い「本件発明１」、「本件発明２」、「本件発明３」という。）は、訂正請求書に添付された訂正明細書の特許請求の範囲の請求項１〜請求項３に記載された次のとおりのものと認める。
　
「【請求項１】入力された文字や記号等のデータに基づいて出力用のドットイメージデータを作成するデータ作成装置と、印字媒体としての巻装されたテープが収納されたテープカセットが着脱可能に装着され、そのテープに前記ドットイメージデータに基づいて文字や記号等を印刷するテーププリンタと、を接続線を介して接続した分離型のテープ印刷装置において、
　前記テーププリンタは、前記テープカセットに形成され、前記テープカセットに収納された巻装されたテープの幅に関する情報を表示するカセット情報表示部を検出するカセット情報検出手段と、該カセット情報検出手段により検出されたカセット情報を、前記接続線を介して前記データ作成装置に送信するカセット情報送信手段と、を備え、
　前記データ作成装置は、前記テーププリンタのカセット情報送信手段から、前記接続線を介して送信されたカセット情報を受信するカセット情報受信手段と、該カセット情報受信手段により受信されたカセット情報を視認可能に表示する表示手段とを備え、
　前記データ作成装置により出力用のドットイメージデータを作成したときに設定されたカセット情報と、前記テーププリンタのカセット情報検出手段により検出されたカセット情報とが同一であるか否かを照合するカセット情報照合手段を備え、両者が同一でない場合にはその旨を前記表示手段に表示するようにしたことを特徴とするテープ印刷装置。
【請求項２】前記テープカセットに形成されたカセット情報表示部は、テープカセットに収納された巻装されたテープの色に関する情報を表示するものであることを特徴とする請求項１に記載のテープ印刷装置。
【請求項３】前記テープカセットに形成されたカセット情報表示部は、テープカセットに収納された巻装されたテープの種類に関する情報を表示するものであることを特徴とする請求項１又は請求項２のいずれかに記載のテープ印刷装置。」
　
　なお、本件発明２は、本件発明１のテープの幅に関する情報に代えて、テープの色に関する情報をカセット情報表示部に表示するものと、同じく本件発明３は、本件発明１のテープの幅に関する情報又は本件発明２のテープの色に関する情報に代えて、テープの種類に関する情報をカセット情報表示部に表示するものと解される余地がある。
　しかしながら、本件訂正後の請求項２及び請求項３には、請求項１に記載したテープの幅に代えて、テープの色またはテープの種類に関する情報をカセット情報表示部に表示するといった記載はなく、しかも平成１６年２月１６日付け特許異議意見書には「訂正した本件特許発明の請求項２の発明及び請求項３の発明は、それぞれ前記訂正した請求項１の発明の構成を必須条件としてさらに限定された発明である」（４．（４）最終段落）と記載されていることに鑑みると、本件発明２はテープの幅及び色に関する情報をカセット情報表示部に表示するものであり、本件発明３はテープの幅及び種類に関する情報又はテープの幅、色及び種類に関する情報をカセット情報表示部に表示するもの、と解すべきである。
　
２．引用刊行物記載の発明
　平成１５年１２月５日付けの取消理由に引用された特開平３−６７８２４号公報（特許異議申立人村田優子が提出した甲第１号証。以下、「引用例」という。）には次の事項が記載又は図示されている。なお、大きい「つ」または「ツ」で表記されていても、小さい「っ」または「ッ」にすべきところは、そのように記載した。
　
（ア）第１ページ右下欄１行〜同欄５行
「本発明は、ホストコンピュータで作成した文書を通信回線を介して印刷装置で印刷する文書印刷方式に係り、特に、種類（用紙サイズ、紙質）の異なる用紙を混在して印刷するときの文書印刷方式に関する。」
　
（イ）第１ページ右下欄６行〜同欄１６行
「〔従来の技術〕パーソナルコンピュータやワードプロセッサ等文字や図形の文書を作成するホストコンピュータで文書を大量に印刷する場合、用紙が用紙格納部に格納されここから用紙を自動給紙できる印刷装置を使用すれば操作者が１枚１枚用紙をセットすることなく印刷できるため印刷効率が良い。さらには、用紙サイズの異なる複数の用紙を格納できる印刷装置ならば、操作者は用紙サイズが替わる毎に用紙をセットし直さなくてすむため、印刷効率はさらに良い。」
　
（ウ）第２ページ左上欄１３行〜同ページ右上欄１４行
「〔発明が解決しようとする課題〕一方、印刷用紙には、普通紙（白紙、未使用紙）とは紙質の異なる特殊紙（オフセット印刷済の用紙、トレース紙、色紙、ＯＨＰシート、裏面印刷済の用紙等）が使用される機会が多くなってきた。前記した従来装置は、複数の用紙格納部を持ち、各格納部には用紙サイズを設定する設定部を持ち、セットされている用紙格納部のうち印刷に必要なサイズの用紙を格納している用紙格納部を自動的に選択して印刷する。しかし、これらの設定部には紙質の情報を持たない。このため、同一サイズで紙質の異なる用紙を交代で印刷するときは、たとえ普通紙と特殊紙を同時に格納できたとしても同一サイズであるため、どちらの紙質の用紙が選択され印刷されるかわからない。このため操作者は普通紙から特殊紙へ、または特殊紙から普通紙へ、用紙をセットし直す必要があった。また、普通紙と特殊紙を混在して使用する操作者にとっては、印刷する際わざわざ印刷装置の所に行き、格納されている用紙の紙質を確認してから印刷要求しなければならないという煩わしさがあった。」
　
（エ）第２ページ右下欄１１行〜第３ページ左上欄７行
「本発明の一実施例を第１図〜第３図により説明する。第１図は、複数台（図ではｎ台）のワードプロセッサ（以下、ＷＰと略す）と１台の印刷装置が通信回線で接続される印刷システムを示したものである。ＷＰ１は、ＷＰ１全体の制御を行うＷＰ本体２と、ＷＰ本体２の制御により表示を行う表示画面３と、操作者からのキー入力を受けてこの入力データをＷＰ本体２へ送るキーボード４とからなる、文書作成装置である。ＷＰ本体２は、その内部に、印刷しようとする用紙の種類を指定する用紙種類指定データ３１（データ０、データ１、データ２）を持ち、用紙サイズ（Ａ３、Ｂ４、Ａ４、Ｂ５）と紙質（普通紙、特殊紙）を指定することができ、割り付けを表１のようにする。データ２が紙質を指定するデータで、レベル”０”で普通紙を、レベル”１”で特殊紙を指定する。」
　
（オ）第３ページ左上欄下から２行〜同ページ右上欄１１行
「印刷装置５は、印刷装置５全体を制御する印刷装置本体６と、用紙格納部である用紙カセット（用紙カセット上７ａ、用紙カセット下７ｂ）からなり、ＷＰ１で作成した文書を印刷する。印刷装置本体６は、用紙カセットを２個まで差し込むことができ、上側に差し込まれた方を用紙カセット上７ａ、下側に差し込まれた方を用紙カセット下７ｂとする。用紙カセット上７ａ及び用紙カセット下７ｂは、側面に、格納されている用紙の種類を設定する用紙種類設定ピン３２（ピンＡ、ピンＢ、ピンＣ）を持ち、格納している用紙サイズ（Ａ３、Ｂ４、Ａ４、Ｂ５）と紙質（普通紙、特殊紙）をピンの有無によって設定することができ、割り付けを表２のようにする。印刷装置本体６は、その内部に、上記のピンの有無を検知する検知部を持ち、用紙カセット上７ａ及び用紙カセット下７ｂに格納されている用紙の種類を知ることができる。」
　
（カ）第３ページ左下欄下から８行〜同ページ右下欄末行
「ＷＰ１は、印刷を行おうとするときは、印刷装置５に差し込まれている用紙カセット上７ａ及び用紙カセット下７ｂの用紙種類を知るために、まず、印刷装置５へ用紙種類設定ピン報知要求２１を送信する（ステップ１０１）。印刷装置５は、これを受信して（２０１）、用紙カセット７ａ、７ｂの用紙種類設定ピン３２を検知する（２０２）。そしてこれをＷＰ１へ用紙種類設定ピン報知２４として送信する（２０３）。ＷＰ１はこれを受信して、用紙種類指定データ３１と用紙種類設定ピン３２との一致を確認する（１０２）。これが不一致ならば、表示画面３に、用紙種類の不一致を表示し、必要な用紙をセットする要求を表示する（１０３）。・・・用紙種類指定データ３１と用紙種類設定ピン３２の一致が確認（１０２）できたならば、ＷＰ１は印刷装置５へ印刷データ２２を送信し、・・・印刷装置５は・・・１頁分の印刷データを受け取り、文字展開を行い、一致した用紙カセット（７ａあるいは７ｂ）を選択して、印刷を実行する（２０４）。」
　
（キ）第４ページ右上欄２行〜同欄１１行
「〔発明の効果〕本発明によれば、用紙サイズと紙質との両者を確認して用紙を選択する方式としたことにより、操作者は格納されている用紙の紙質を確認する必要はなく、また意図しなかった用紙に印刷することがなくなり用紙を無駄にせずに印刷することができる。また、たとえ同一サイズの普通紙と特殊紙を同時に格納しても、操作者が普通紙から特殊紙へまたは特殊紙から普通紙へと用紙をセットし直すことなく抑制することができる。」
　
（ク）第１図
　第１図からは、用紙種類設定ピン報知が、ワードプロセッサと印刷装置を接続する通信回線を介して、印刷装置からワードプロセッサに送信されることが看取できる。
　
　まず、ワードプロセッサ（ＷＰ１）は文字や図形の文書を作成するもの（上記（イ）参照。）であり、当該文書は操作者からのキー入力によって作成されるのであるから、操作者からキー入力された入力データは当然に文字や図形の入力データである。
　また、上記（カ）の「ＷＰ１は印刷装置５へ印刷データ２２を送信し、・・・印刷装置５は・・・１頁分の印刷データを受け取り、文字展開を行い、・・・印刷を実行する」との記載や、上記（ア）の「本発明は、ホストコンピュータで作成した文書を通信回線を介して印刷装置で印刷する文書印刷方式・・・に関する。」との記載からみて、ワードプロセッサ（ＷＰ１）が印刷装置へ送信する「印刷データ」は文書を印刷するためのデータであるから、当該「印刷データ」は、操作者から入力された文字や図形の入力データに基づいて作成されたものということができる。
　そして、用紙カセットは印刷装置に差し込まれていること、及び用紙補給のためには差し込まれている用紙カセットを取り外して給紙する方が自然であることからみて、用紙カセットは、印刷装置に着脱可能に装着されていると解される。
　さらにワードプロセッサは、その内部に用紙種類指定データを有しているが、用紙サイズ及び紙質は作成する文書によって変わり得るものであるから、用紙種類指定データは文書を作成したとき、すなわち印刷データ作成したときに設定されなければならない。
　それ故、これら（ア）〜（ク）の記載及び図示を含む引用例の全記載及び図示からみて、引用例には、以下の発明が記載されているものと認める（以下、「引用発明」という。）。
　
「操作者から入力された文字や図形の入力データに基づいて印刷データを作成する、表示画面を有するワードプロセッサと、
　用紙が格納された用紙カセットが着脱可能に装着され、その用紙に前記印刷データを文字展開して文字や図形を印刷する印刷装置と、
　を通信回線を介して接続した印刷システムにおいて、
　前記印刷装置は、格納された用紙の用紙サイズ及び紙質を設定する用紙種類設定ピンが設けられた複数の用紙カセットと、前記用紙種類設定ピンを検知する検知部とを有しており、該検知部により検知された用紙サイズ及び紙質を用紙種類設定ピン報知として前記通信回線を介して前記ワードプロセッサに送信し、
　前記ワードプロセッサは、その内部に印刷しようとする用紙の用紙サイズ及び紙質を指定する用紙種類指定データを有し、当該用紙種類指定データは前記印刷データを作成したときに設定されており、前記用紙種類設定ピン報知を受信して、前記用紙種類指定データと前記用紙種類設定ピンとの一致を確認し、これが不一致ならば前記表示画面に用紙サイズ及び紙質の不一致を表示する印刷システム。」
　
３．本件発明１と引用発明の一致点及び相違点の認定
　本件発明１と引用発明とを対比する。
　
（１）引用発明における「操作者から入力された文字や図形の入力データ」、「通信回線」は、それぞれ本件発明１における「入力された文字や記号等のデータ」、「接続線」に相当する。
　
（２）引用発明における「印刷データ」と本件発明１における「出力用のドットイメージデータ」とは、ともに接続線を介して出力される「出力用のデータ」という点で一致する。それ故、引用発明における「ワードプロセッサ」は、入力された文字や記号等のデータに基づいて出力用のデータを作成するという限りにおいて本件発明１における「データ作成装置」に相当する。また、引用発明におけるワードプロセッサの「表示画面」は、本件発明１におけるデータ作成装置の「表示手段」に相当する。
　
（３）引用発明における「用紙」と本件発明１における「テープ」とはともに「印字媒体」であるという点で一致するから、引用発明における「用紙カセット」と本件発明１における「テープカセット」はともに「印字媒体が収納されたカセット」であるという点で一致する。そして、引用発明における「印刷装置」と本件発明１における「テーププリンタ」とは、「文字や記号等を印刷するプリンタ」であるという点で一致する。
　
（４）引用発明における「用紙種類設定ピン」は、用紙が格納された用紙カセットに設けられており、これが指定する「用紙サイズ及び紙質」は、用紙カセットに格納された用紙に関する情報の一種であり、本件発明における「カセット情報」に相当する。それ故、引用発明における「用紙種類設定ピン」は、印字媒体が収納されたカセットに形成され、前記カセットに収納された印字媒体に関する情報を表示する限りにおいて、本件発明１における「カセット情報表示部」に相当する。そうすると、引用発明における「用紙種類設定ピンを検知する検知部」は、本件発明１における「カセット情報検出手段」に相当する。
　また、引用発明では、用紙種類設定ピンを検知する検知部により検知された用紙サイズ及び紙質を用紙種類設定ピン報知としてワードプロセッサに送信している。この「用紙サイズ及び紙質」は、前述のとおり本件発明１における「カセット情報」に相当するから、引用発明における印刷装置は、本件発明１における「カセット情報を接続線を介して送信するカセット情報送信手段」を当然に備えている。
　
（５）引用発明におけるワードプロセッサは、通信回線を介して送信される用紙サイズ及び紙質を受信しているのであるから、本件発明１における「接続線を介して送信されたカセット情報を受信するカセット情報受信手段」を当然に備えている。
　
（６）引用発明におけるワードプロセッサは、印刷装置から送信された用紙の用紙サイズ及び紙質を受信し、ワードプロセッサ内部の用紙種類指定データと用紙種類設定ピンとの一致を確認し、これが不一致ならばワードプロセッサの表示画面に用紙サイズ及び紙質の不一致を表示するものである。
　ここで用紙種類指定データと用紙種類設定ピンとの一致を確認するということは、ワードプロセッサ内部に設定された用紙サイズ及び紙質と、印刷装置の、用紙種類設定ピンを検知する検知部により検出された用紙サイズ及び紙質とが同一であるか否かを確認することであるから、引用発明は、本件発明１における「カセット情報照合手段」を当然に備えている。
　
（７）引用発明における「印刷システム」は、ワードプロセッサと印刷装置とを通信回線を介して接続してなるものであるが、これを接続線を介して接続した分離型の印刷装置と認識することも可能であるから、引用発明における「印刷システム」は本件発明１における「分離型の印刷装置」に相当する。
　
　したがって、両者は、
「入力された文字や記号等のデータに基づいて出力用のデータを作成するデータ作成装置と、印字媒体が収納されたカセットが着脱可能に装着され、その印字媒体に前記出力用のデータに基づいて文字や記号等を印刷するプリンタと、を接続線を介して接続した分離型の印刷装置において、
　前記プリンタは、前記カセットに形成され、前記カセットに収納された記録媒体に関する情報を表示するカセット情報表示部を検出するカセット情報検出手段と、該カセット情報検出手段により検出されたカセット情報を、前記接続線を介して前記データ作成装置に送信するカセット情報送信手段と、を備え、
　前記データ作成装置は、前記プリンタのカセット情報送信手段から、前記接続線を介して送信されたカセット情報を受信するカセット情報受信手段と、表示手段とを備え、
　前記データ作成装置により出力用のデータを作成したときに設定されたカセット情報と、前記プリンタのカセット情報検出手段により検出されたカセット情報とが同一であるか否かを照合するカセット情報照合手段を備え、両者が同一でない場合にはその旨を前記表示手段に表示するようにした印刷装置。」
において一致し、次の点で相違する。
　
［相違点１］
　データ作成装置と接続線を介して接続される、印字媒体に出力用のデータに基づいて文字や記号等を印刷するプリンタとして、本件発明１では、印字媒体としての巻装されたテープが収納されたテープカセットが着脱可能に装着されたテーププリンタであるのに対して、引用発明では、用紙が格納された用紙カセットが着脱可能に装着された印刷装置である点。
　
［相違点２］
　本件発明１では、検出するカセット情報がテープの幅であるのに対して、引用発明では、用紙サイズ及び紙質を検出している点。
　
［相違点３］
　本件発明１では、データ作成装置から出力されるデータがドットイメージデータであるのに対して、引用発明では、ワードプロセッサから出力される印刷データのデータ形式が明らかでない点。なお、本件発明１では、出力用のドットイメージデータを作成したときにカセット情報を設定しているのに対して、引用発明では、印刷データを作成したときに用紙種類指定データを設定している点においても相違するが、当該相違は、出力されるデータがドットイメージデータであるか、あるいは印刷データであるかの違いによるものであり、相違点として別個に検討することはしない。
　
［相違点４］
　本件発明１では、カセット情報受信手段により受信されたカセット情報を、データ作成装置に備えられた表示手段に視認可能に表示しているのに対して、引用発明では、用紙サイズ及び紙質をワードプロセッサが受信しているものの、これらをワードプロセッサに備えられた表示画面に表示していない点。
　
４．相違点についての判断及び本件発明１の進歩性の判断
　
（１）相違点１について
　まず、引用発明における課題、すなわち印刷装置に装着されたカセット内の用紙の紙質を確認する煩わしさや、意図しない用紙に印刷することによる用紙の無駄といった課題（上記（ウ）及び（キ））からみて、引用発明の印刷システムは、用紙サイズ及び紙質だけではなく、色や種類など異なる特性を備えた印字媒体を混在して印刷する場合にも適用可能であることは、当業者であれば容易に想到できることである。
　そして、データ作成装置とテーププリンタとを接続線を介して接続した分離型のテープ印刷装置は、実願平３−１０１９４３号（実開平５−４３２４０号）のＣＤ−ＲＯＭ（段落番号０００６〜００１０、図１）、カシオ計算機株式会社製「ＮＡＭＥ　ＬＡＮＤ　漢字ラベルライター　ＫＬ−１０００」（平成１５年８月１１日付け特許異議申立書に添付した参考資料「ＮＡＭＥ　ＬＡＮＤ　漢字ラベルライター　ＫＬ−１０００　取扱説明書（保証書付）」第８４ページ〜第８６ページ参照。）等にみられるように、本件出願前に周知な技術であるし、テーププリンタでは、通常、テープの幅、色または種類の異なるテープが巻装されて収納された複数のテープカセットの中から使用目的に応じたものを選択して着脱可能に装着されることも、実願平３−６９５０１号（実開平５−１８８５３号）のＣＤ−ＲＯＭ（段落番号００１７、図２）、特開平４−２４６５８３号公報（段落番号００１０、００１４、図１）等にみられるように、当業者において自明なことである。
　それ故、引用発明における印刷装置に代えて、印字媒体としての巻装されたテープが収納されたテープカセットが着脱可能に装着されたテーププリンタを使用することは、当業者であれば容易に想到できることである。
　
（２）相違点２について
　前述したとおり、引用発明の印刷システムのうち、ワードプロセッサと通信回線を介して接続される印刷装置に代えて、印字媒体としての巻装されたテープが収納されたテープカセットが着脱可能に装着されたテーププリンタを使用することは想到容易である。そして、テープカセットに巻装されて収納されたテープに印刷するとなれば、用紙サイズのうち印字文字や図形の長さに応じて決められるテープの長さを検出する必要はなく、テープの幅のみを検出すれば足りることは明らかである。また、カセット情報として何を検出するかは、混在しての使用が予定されるテープの幅、色または種類といった特性に応じて決められる事項である。
　それ故、引用発明における印刷装置に代えるにあたり、検出するカセット情報をテープの幅とすることは設計事項である。
　
（３）相違点３について
　まず、プリンタは文字や図形をドットで表現するものであるから、印字媒体に印刷するためには、入力された文字や記号等のデータに基づいてドットイメージデータを作成しなければならない。分離型のテープ印刷装置であれば、データ作成装置またはテーププリンタのいずれかにおいてドットイメージデータが作成されなければならないが、必ずしもテーププリンタで作成する必要はなく、データ作成装置においてドットイメージデータを作成し、作成されたドットイメージデータをテーププリンタに送信してテープに印刷させても良い。つまり、データ作成装置またはテーププリンタのいずれにおいてドットイメージデータを作成するかは、データ作成装置とテーププリンタそれぞれの処理能力や接続線の送信スピード等を考慮した上で決定される事項である。
　引用発明では、ワードプロセッサから送信された印刷データを印刷装置が文字展開していることからみると、印刷装置においてドットイメージデータを作成しているものと解されるが、引用発明における印刷装置に代えてテーププリンタを使用する場合には、テーププリンタの処理能力はワードプロセッサの処理能力よりも劣ることが一般的であるから、ワードプロセッサが操作者から入力された文字や図形の入力データに基づいて出力用のドットイメージデータを作成し、当該作成されたドットイメージデータを通信回線を介してテーププリンタに送信させるよう構成することは、当業者であれば容易に想到できることである。
　
（４）相違点４について
　引用発明では、印刷装置に格納された用紙の用紙サイズ及び紙質と、印刷しようとする用紙の用紙サイズ及び紙質とが不一致ならばその旨をワードプロセッサに備えられた表示画面に表示するものであるが、不一致である旨の表示だけでなく、印刷装置に格納された用紙の用紙サイズ及び紙質が何であるかを操作者が把握できるならば、印刷装置に格納された用紙サイズや紙質を予め確認することができるので不一致の回数の削減にもつながるし、たとえ不一致となった場合であっても、格納された用紙サイズ及び紙質で印刷しても良いのであれば、ワードプロセッサ内部に設定した用紙サイズ及び紙質を変更して印刷したり、格納された用紙サイズ及び紙質で印刷する予定であった別の文字や図形を先に印刷するなどの対処も可能となる等、より利便性の向上した印刷システムとなることは当業者にとって容易に想到できることである。
　そして、引用発明におけるワードプロセッサは、印刷装置に格納された用紙の用紙サイズ及び紙質を通信回線を介して受信しているのであるから、当該情報を表示画面に表示することは、当業者であれば容易に想到できることといわざるをえない。
　実際、プリンタに格納されている印字媒体のサイズや幅を表示画面に表示させることは、実願平３−６９５０１号（実開平５−１８８５３号）のＣＤ−ＲＯＭ（段落番号００２８、図７）、特開平２−２０１６３１号公報（第２ページ右上欄５行〜同欄末行、第３ページ左上欄３行〜同ページ右上欄２行）等にみられるように、本件出願前に周知な技術である。
　
（５）本件発明１の進歩性の判断
　相違点１〜相違点４に係る本件発明１の構成は設計事項であるか、当業者にとって想到容易である。さらに、これら構成を採用したことによる格別の作用効果を認めることもできない。
　したがって、本件発明１は、引用発明及び周知技術に基づいて当業者が容易に発明できたものである。
　
５．本件発明２と引用発明の一致点及び相違点の認定
　本件発明２は、本件発明１におけるカセット情報として、「テープの幅」に加えて「テープの色」を追加するものである。
　それ故、本件発明２と引用発明とを対比すると、上記３．において本件発明１と引用発明とが一致すると認定した点で本件発明２と引用発明は一致し、以下の点で相違する。
　
［相違点５］
　データ作成装置と接続線を介して接続される、印字媒体に出力用のデータに基づいて文字や記号等を印刷するプリンタとして、本件発明２では、印字媒体としての巻装されたテープが収納されたテープカセットが着脱可能に装着されたテーププリンタであるのに対して、引用発明では、用紙が格納された用紙カセットが着脱可能に装着された印刷装置である点。
　
［相違点６］
　本件発明２では、検出するカセット情報がテープの幅及び色であるのに対して、引用発明では、用紙サイズ及び紙質を検出している点。
　
［相違点７］
　本件発明２では、データ作成装置から出力されるデータがドットイメージデータであるのに対して、引用発明では、ワードプロセッサから出力される印刷データのデータ形式が明らかでない点。なお、本件発明２では、出力用のドットイメージデータを作成したときにカセット情報を設定しているのに対して、引用発明では、印刷データを作成したときに用紙種類指定データを設定している点においても相違するが、当該相違は、出力されるデータがドットイメージデータであるか、あるいは印刷データであるかの違いによるものであり、改めて相違点として検討することはしない。
　
［相違点８］
　本件発明２では、カセット情報受信手段により受信されたカセット情報を、データ作成装置に備えられた表示手段に視認可能に表示しているのに対して、引用発明では、用紙サイズ及び紙質をワードプロセッサが受信しているものの、これらをワードプロセッサに備えられた表示画面に表示していない点。
　
６．相違点についての判断及び本件発明２の進歩性の判断
（１）相違点５、相違点７及び相違点８について
　相違点５、相違点７及び相違点８は、本件発明１と引用発明との相違点１、相違点３及び相違点４と同一である。そして、相違点１、相違点３及び相違点４に係る本件発明１の構成を採用することが当業者にとって想到容易であることは４．（１）、（３）及び（４）で述べたとおりであるから、同様の理由により、相違点５、相違点７及び相違点８に係る本件発明２の構成を採用することは、当業者であれば容易に想到できることである。
　
（２）相違点６について
　検出するカセット情報をテープの幅とすることが設計事項であること、そしてテーププリンタでは、通常、テープの幅、色または種類の異なるテープが使用目的に応じて選択されるのであるから、カセット情報として何を検出するかは混在しての使用が予定されるテープの幅、色または種類といった特性に応じて決められること、は上記４．（１）及び（２）において述べたとおりである。
　それ故、検出するカセット情報をテープの幅及び色とすることは、引用発明における印刷装置に代えてテーププリンタを使用するに際し、異なる幅及び色のテープへの印刷を予定する場合に必要となる設計事項である。
　
（３）本件発明２の進歩性の判断
　相違点５〜相違点８に係る本件発明２の構成は設計事項であるか、当業者にとって想到容易である。さらに、これら構成を採用したことによる格別の作用効果を認めることもできない。
　したがって、本件発明２は、引用発明及び周知技術に基づいて当業者が容易に発明できたものである。
　
７．本件発明３と引用発明の一致点及び相違点の認定
　本件発明３は、本件発明１におけるカセット情報として、「テープの幅」に加えて「テープの種類」または「テープの色及び種類」を追加するものである。
　それ故、本件発明３と引用発明とを対比すると、上記３．において本件発明１と引用発明とが一致すると認定した点で本件発明３と引用発明は一致し、以下の点で相違する。
　
［相違点９］
　データ作成装置と接続線を介して接続される、印字媒体に出力用のデータに基づいて文字や記号等を印刷するプリンタとして、本件発明３では、印字媒体としての巻装されたテープが収納されたテープカセットが着脱可能に装着されたテーププリンタであるのに対して、引用発明では、用紙が格納された用紙カセットが着脱可能に装着された印刷装置である点。
　
［相違点１０］
　本件発明３では、検出するカセット情報がテープの幅及び種類又はテープの幅、色及び種類であるのに対して、引用発明では、用紙サイズ及び紙質を検出している点。
　
［相違点１１］
　本件発明３では、データ作成装置から出力されるデータがドットイメージデータであるのに対して、引用発明では、ワードプロセッサから出力される印刷データのデータ形式が明らかでない点。なお、本件発明３では、出力用のドットイメージデータを作成したときにカセット情報を設定しているのに対して、引用発明では、印刷データを作成したときに用紙種類指定データを設定している点においても相違するが、当該相違は、出力されるデータがドットイメージデータであるか、あるいは印刷データであるかの違いによるものであり、改めて相違点として検討することはしない。
　
［相違点１２］
　本件発明３では、カセット情報受信手段により受信されたカセット情報を、データ作成装置に備えられた表示手段に視認可能に表示しているのに対して、引用発明では、用紙サイズ及び紙質をワードプロセッサが受信しているものの、これらをワードプロセッサに備えられた表示画面に表示していない点。
　
８．相違点についての判断及び本件発明３の進歩性の判断
（１）相違点９、相違点１１及び相違点１２について
　相違点９、相違点１１及び相違点１２は、本件発明１と引用発明との相違点１、相違点３及び相違点４と同一である。そして、相違点１、相違点３及び相違点４に係る本件発明１の構成を採用することが当業者にとって想到容易であることは４．（１）、（３）及び（４）で述べたとおりであるから、同様の理由により、相違点９、相違点１１及び相違点１２に係る本件発明３の構成を採用することは、当業者であれば容易に想到できることである。
　
（２）相違点１０について
　引用発明における用紙の「紙質」は、本件発明３におけるテープの「種類」に相当するから、相違点１０に係る本件発明３と引用発明との実質的な相違は、カセット情報として種類を検出する他に、本件発明ではテープの幅を検出しているのに対して、引用発明では用紙サイズを検出している点にあるが、検出するカセット情報をテープの幅とすることが設計事項であることは４．（２）において述べたとおりである。
　それ故、検出するカセット情報をテープの幅及び種類とすることは、引用発明における印刷装置に代えてテーププリンタを使用するにあたり、異なる幅及び種類のテープへの印刷を予定する場合に必要となる設計事項である。
　
（３）本件発明３の進歩性の判断
　相違点９〜相違点１２に係る本件発明３の構成は設計事項であるか、当業者にとって想到容易である。さらに、これら構成を採用したことによる格別の作用効果を認めることもできない。
　したがって、本件発明３は、引用発明及び周知技術に基づいて当業者が容易に発明できたものである。
　
９．むすび
　以上のとおりであるから、本件発明１〜本件発明３は、特許法第２９条第２項の規定により特許を受けることができない。
　したがって、本件発明１〜本件発明３についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１７年４月２６日（２００５．４．２６）
【訂正の要旨】
審決（決定）の【理由】欄参照。
（５４）【発明の名称】
テープ印刷装置
（５７）【特許請求の範囲】
　【請求項１】入力された文字や記号等のデータに基づいて出力用のドットイメージデータを作成するデータ作成装置と、印字媒体としての
巻装された
収納
　前記テーププリンタは、前記テープカセットに形成され、
前記テープカセットに収納された
の幅
　前記データ作成装置は、前記テーププリンタのカセット情報送信手段から、前記接続線を介して送信されたカセット情報を受信するカセット情報受信手段と、該カセット情報受信手段により受信されたカセット情報を視認可能に表示する表示手段とを備え、
　前記データ作成装置により出力用のドットイメージデータを作成したときに設定されたカセット情報と、前記テーププリンタのカセット情報検出手段により検出されたカセット情報とが同一であるか否かを照合するカセット情報照合手段を備え、両者が同一でない場合にはその旨を前記表示手段に表示するようにしたことを特徴とするテープ印刷装置。
　【請求項２】前記テープカセットに形成されたカセット情報表示部は、テープカセットに
収納された
色
　【請求項３】前記テープカセットに形成されたカセット情報表示部は、テープカセットに
収納された
種類
又は
２
【発明の詳細な説明】
　【０００１】
　【産業上の利用分野】
　本発明は、データ作成装置と、これに接続線を介して接続された別体のテーププリンタとからなるテープ印刷装置に関し、特にテーププリンタに装着されたテープカセットに関する情報をデータ作成装置に転送して表示するようにしたものに関する。
　【０００２】
　【従来の技術】
　従来、本願出願人は、実開平１−８５０５０号公報に記載のように、キーボードやディスプレイや印字機構を備え、印字媒体としてのテープ（例えば、１０ミリ、２４ミリのテープ幅）に文字や記号を印刷できるテープ印刷装置を実用化するとともに、このテープ印刷装置に各種の編集機能を付加したものを提案した。このテープ印刷装置は、ファイル名などをラベルとして印刷しファイルの背表紙に貼着するテープを作成するのに好適のものである。
　【０００３】
　即ち、この従来のテープ印刷装置は、キーボードやディスプレイを備える一方、サーマルヘッドやテープを収納したテープカセットを有する印字機構を内蔵した一体型であり、文書データを入力するとともに、この文書の印字に最適のテープを収納したテープカセットを装着し、文書データを印刷処理するようになっている。
　【０００４】
　ところで、本発明の発明者は、キーボードや大型のディスプレイを備え、キーボードから入力した文字や記号のコードデータだけでなく、イメージデータなどをディスプレイを介して処理可能にしたデータ作成装置と、これに接続線を介して接続されたプリンタとからなる分離型のテープ印刷装置に着想した。
　【０００５】
　しかも、貼着スペースの大きさや貼着するファイルの色に応じて印刷用テープを選択できるように、印刷用テープとして、テープ幅を「６ｍｍ」、「９ｍｍ」、「１２ｍｍ」・・・「２４ｍｍ」とする一方、各テープ幅を有するテープの色を「赤」、「青」、「黄」・・・「白」とする複数種類のテープカセットを準備するようにした。
　【０００６】
　これにより、オペレータは、データ作成装置で所望の文書を入力する一方、所望のテープ幅や色のテープを収納したテープカセットをプリンタにセットし、そのテープ幅と色のテープに文書を印刷することができる。
　【０００７】
　【発明が解決しようとする課題】
　上述したように、本発明の発明者が着想したプリンタ分離型のテープ印刷装置においては、印刷用テープを収納したテープカセットとして多種類存在することから、文書データをプリント出力する前に、プリンタの所へ移動して、プリンタに装着されているテープカセットの種類を確認する必要があること、確認しない場合に、装着されているテープカセットのテープのテープ幅や色が所望のものと異なるときには、その印刷用テープが無駄になること、などの問題がある。
　【０００８】
　本発明の目的は、プリンタに装着されているテープカセットに関するテープ幅や色などの情報を、本体側のデータ作成装置で容易に認識し得るようなテープ印刷装置を提供することである。
　【０００９】
　【課題を解決するための手段】
　請求項１のテープ印刷装置は、入力された文字や記号等のデータに基づいて出力用のドットイメージデータを作成するデータ作成装置と、印字媒体としての
巻装された
収納
前記テープカセットに収納された
の幅
　【００１０】
　また、請求項２のテープ印刷装置は、請求項１に記載のテープ印刷装置と同様の構成を備え、更に、前記テープカセットに形成されたカセット情報表示部は、テープカセットに
収納された
色
　【００１１】
　また、請求項３のテープ印刷装置は、請求項１又は請求項２に記載のテープ印刷装置と同様の構成を備え、更に、前記テープカセットに形成されたカセット情報表示部は、テープカセットに
収納された
種類
　【００１２】
　【００１３】
　【００１４】
　【００１５】
　【作用】
　請求項１のテープ印刷装置においては、カセット情報検出手段は、テーププリンタに装着されたテープカセット
に収納された巻装された
の幅
の幅
　【００１６】
　このように、
前記テープカセットに形成されたカセット情報表示部は、
に収納された巻装されたテープの幅に関する情報を表示し、そ
の幅
の幅
　更に、前記カセット情報照合手段により、前記データ作成装置により出力用のドットイメージデータを作成したときに設定されたカセット情報と、前記テーププリンタのカセット情報検出手段により検出されたカセット情報とが同一であるか否かが照合され、両者が同一でない場合にはその旨が前記表示手段に表示されるので、所望のテープでない場合にはテープの浪費を防止することができる。
　【００１７】
　また、請求項２のテープ印刷装置においては、更に、前記テープカセットに形成されたカセット情報表示部は、テープカセットに
収納された
色
色
　【００１８】
　また、請求項３のテープ印刷装置においては、更に、前記テープカセットに形成されたカセット情報表示部は、テープカセットに
収納された
種類
種類
　【００１９】
　【００２０】
　【００２１】
　【００２２】
　【００２３】
　【実施例】
　以下、本発明の実施例について図面に基いて説明する。
　【００２４】
　本実施例は、アルファベット文字や記号などの多数のキャラクタを入力して印刷用テープに印刷可能な英語専用のテープ印刷装置に本発明を適用した場合のものである。
　【００２５】
　図２に示すように、テープ印刷装置１は、文字や記号などを複数行分表示可能なＣＲＴディスプレイ３とキーボード４と座標入力装置（以下、マウスという）３９と制御本体部５とを備えたデータ作成装置２と、このデータ作成装置２の制御本体部５に接続線Ｌで接続されたプリンタ６とから構成されている。ここで、ＣＲＴディスプレイ３とキーボード４とマウス３９とは、接続線を介して制御本体部５に夫々接続されている。
　【００２６】
　キーボード４には、アルファベット文字や数字や記号を入力する為の文字キー、スペースキー、リターンキー、ＣＲＴディスプレイ３上のカーソルを上下左右方向へ移動させるカーソル移動キー、文字や記号からなる文書のデータを印刷する印刷キーなどが設けられている。
　【００２７】
　次に、図３に基いて、プリンタ６に内蔵された印刷機構ＰＭについて簡単に説明すると、印刷機構ＰＭに着脱自在に矩形状のテープ収納カセットＣＳが装着されており、このテープ収納カセットＣＳには、透明なラミネートフィルム８が巻装されたテープスプール９と、インクリボン１０が巻装されたリボン供給スプール１１と、このインクリボン１０を巻取る巻取りスプール１２と、ラミネートフィルム８と同一幅を有する両面テープ１３が剥離紙を外側にして巻装された供給スプール１４と、これらラミネートフィルム８と両面テープ１３とを接合させる接合ローラ１５とが回転自在に設けられている。
　【００２８】
　前記ラミネートフィルム８とインクリボン１０とが重なる位置には、サーマルヘッド１６が立設され、これらラミネートフィルム８とインクリボン１０とをサーマルヘッド１６に押圧するプラテンローラ１７と、ラミネートフィルム８と両面テープ１３とを接合ローラ１５に押圧して印刷用テープ２５を作成する送りローラ１８とは、プリンタ６のフレームに回動自在に枢着された支持体１９に回転可能に枢支されている。このサーマルヘッド１６には、１２８個の発熱素子からなる発熱素子群が上下方向に列設されている。
　【００２９】
　従って、テープ送りモータ５０（図４参照）の所定回転方向への駆動により接合ローラ１５と巻取りスプール１２とが所定回転方向に夫々同期して駆動されながら発熱素子群に通電されたとき、ラミネートフィルム８上には複数のドット列により文字が印刷され、しかもラミネートフィルム８は両面テープ１３を接合した状態で印刷用テープ２５としてテープ送り方向Ａにテープ送りされ、図２に示すように、プリンタ６の外部に送り出される。ここで、図示はしていないが、この印刷機構ＰＭには、可動刃と固定刃とを有し、可動刃をカッター駆動モータ６５（図４参照）により揺動させて、可動刃と固定刃との協働により、印刷後の印刷用テープ２５を切断するテープ切断機構が設けられている。尚、印刷機構ＰＭの詳細については、特開平２−１０６５５５号公報を参照。
　【００３０】
　ここで、前記テープ収納カセットＣＳに収納された印刷用テープ２５として、前記ラミネートフィルム８と両面テープ１３とを接合したテープ２５、このラミネートフィルム８を省略しかつ剥離紙を外側に貼着した片面テープに印刷するノンラミネートテープ２５、感熱用テープ２５、インスタントレタリング用テープなど４種類のテープが準備されている。また、これらのテープ２５の各々には、テープ幅が６ｍｍ、９ｍｍ、１２ｍｍ、１８ｍｍ、２４ｍｍの５種類のテープ２５が準備されている。更に、各テープ幅毎の印刷用テープ２５の各テープ色毎に、「赤」、「青」、「黄」、「緑」・・・など約１３色のテープ色が準備されている。
　【００３１】
　そして、これらテープ収納カセットＣＳの底部壁には、これら５種類のテープ幅の何れかを指定する為に３つの突出爪を組合せた第１突出片２０、これら１３色のテープ色の何れかを指定する為に４つの突出爪を組合せた第２突出片２１、これら４種類のテープ種類の何れかを指定する為に２つの突出爪を組合せた第３突出片２２が夫々設けられている。そして、プリンタ６のフレームには、第１突出片２０の突出爪の状態からテープ幅を検出するテープ幅センサ６０（図４参照）、第２突出片２１の突出爪の状態からテープ色を検出するテープ色センサ６１（図４参照）、第３突出片２２の突出爪の状態からテープ種類を検出する種類センサ６２（図４参照）が夫々取付けられている。
　【００３２】
　更に、プリンタ６のフレームには、これら多種類のテープ収納カセットＣＳが択一的に装着されたことを検出する為に、カセットスイッチ６３（図４参照）が取付けられている。
　【００３３】
　次に、テープ印刷装置１の制御系は、図４のブロック図に示すように構成されている。
　【００３４】
　先ず、データ作成装置２の制御系について説明すると、キーボード（Ｋ／Ｂ）４と、ＣＲＴディスプレイ（ＣＲＴＤ）３に表示データを出力する為の表示用ＲＡＭを有するＣＲＴディスプレイコントローラ（ＣＲＴＣ）３０と、制御本体部５に設けられたフロッピーディスクドライブ（ＦＤＤ）３１の為のフロッピーディスクドライブコントローラ（ＦＤＣ）３２と、座標入力装置（マウス）３９とは、制御本体部５に設けられた制御装置Ｃ１の入出力インターフェース（入出力Ｉ／Ｆ）３６に夫々接続されている。
　【００３５】
　制御装置Ｃ１は、ＣＰＵ３３と、このＣＰＵ３３にデータバスなどのバス３８を介して接続された入出力インターフェース３６と、通信用インターフェース（Ｉ／Ｆ）３７と、ハードディスクを装着したハードディスクドライブ装置（ＨＤＤ）３４の為のハードディスクドライブコントローラ（ＨＤＣ）３５と、ＲＡＭ４０とから構成されている。
　【００３６】
　前記ハードディスクには、多数のキャラクタの各々に関して、表示の為のドットパターンデータがコードデータに対応させて格納された表示パターンデータメモリ、キャラクタを印刷する為に多数のキャラクタの各々に関して、キャラクタの輪郭線を規定する輪郭線データ（アウトラインデータ）が書体（ゴシック系書体、明朝系書体など）毎に分類されコードデータに対応させて格納されたフォントメモリ、キーボード４から入力された文字や数字や記号などのキャラクタのコードデータに対応させてＣＲＴディスプレイコントローラ３０を制御する表示駆動制御プログラム、ＲＡＭ４０のテキストメモリ４１の各コードデータに対応するアウトラインデータからドットパターンデータに変換処理してプリンタ６に出力するドットイメージ展開制御プログラム、本願特有の後述の印刷データ作成制御の制御プログラムなどが格納されている。
　【００３７】
　前記ＲＡＭ４０のテキストメモリ４１には、キーボード４から入力された文書のデータが格納される。ドットイメージメモリ４２には、テキストメモリ４１に格納された文書データについてイメージ展開された文字や記号のプリント出力用ドットイメージデータが格納される。ドキュメント情報メモリ４３には、印刷する文書名のデータ、設定されたテープ幅やテープ色やテープ種類などのカセット情報のデータが格納される。ステータス情報メモリ４４には、プリンタ６から転送されたプリンタ６のステータス情報（複数項目からなる状態を示す情報）が格納される。エラーデータメモリ４５には、データ作成時や印刷処理時に発生した各種のエラーデータが格納される。
　【００３８】
　次に、プリンタ６の制御系について説明すると、テープ幅センサ６０と、テープ色センサ６１と、種類センサ６２と、カセットスイッチ６３と、テープエンドセンサ６４と、サーマルヘッド１６を駆動する為の駆動回路５２と、テープ送りモータ５０を駆動する為の駆動回路５１と、カッター駆動モータ６５を駆動する駆動回路５３とは制御装置Ｃ２の入出力インターフェース（入出力Ｉ／Ｆ）５７に夫々接続されている。ここで、テープエンドセンサ６４は、テープエンド状態のときには、「Ｈ」レベルのテープエンド検出信号ＥＳを出力し、またカセットスイッチ６３はテープ収納カセットＣＳが装着されているときには、「Ｈ」レベルのカセット検出信号ＳＳを出力する。
　【００３９】
　制御装置Ｃ２は、ＣＰＵ５４と、このＣＰＵ５４にデータバスなどのバス５９を介して接続された入出力インターフェース５７と、通信用インターフェース（Ｉ／Ｆ）５８と、ＲＯＭ５５と、ＲＡＭ５６から構成されている。
　【００４０】
　前記ＲＯＭ５５には、両通信用インターフェース３７・５８を介してデータ作成装置２との間でデータの送受信を行なう為の転送制御プログラム、データ作成装置２から送信されたドットイメージデータに基いて、サーマルヘッド１６やテープ送りモータ５０を駆動する印刷駆動制御プログラムが格納されている。
　【００４１】
　前記ＲＡＭ５６には、通信用インターフェース５８を介して、データ作成装置２から送信されたドットイメージデータを受信して格納する受信バッファ、発生したエラーのステータス情報を格納するエラーデータメモリ、装着されているテープ収納カセットＣＳに関するカセット情報を格納するカセット情報メモリ、受信したドットイメージデータを印刷出力形態に展開する印字バッファ、ＣＰＵ５４で演算した演算結果を一時的に格納する為の各種のメモリなどが設けられている。
　【００４２】
　次に、データ作成装置２の制御装置Ｃ１で行なわれる印刷データ作成制御のルーチンについて、図５〜図８のフローチャートに基いて説明する。尚、図中符号Ｓｉ（ｉ＝１０、１１、１２・・・・）は各ステップである。
　【００４３】
　印刷データ作成制御について説明すると、電源が投入されるとこの制御が開始され、文字キーや記号キーや数字キーなどの印字可能なキーが操作されたときには（Ｓ１０・Ｓ１１：Ｙｅｓ）、入力されたコードデータを文書データとしてＲＡＭ４０のテキストメモリ４１に格納する文書データ入力処理が実行されるとともに、そのコードデータに対応するキャラクタをＣＲＴディスプレイ３に表示する表示処理が実行され（Ｓ１２）、Ｓ１０に戻る。ところで、前記文書データ入力・表示処理制御においては、指定された文字サイズや印刷用テープ２５のテープ幅のデータなどがドキュメント情報メモリ４３に格納される。
　【００４４】
　次に、印刷キーが操作されたときには（Ｓ１０：Ｙｅｓ、Ｓ１１：Ｎｏ、Ｓ１３：Ｙｅｓ）、印刷指示されている文書名のデータがドキュメント情報メモリ４３に格納され、テキストメモリ４１に格納された文書データに基いて、各文字や記号や数字のコードデータに対応するアウトラインデータが読出されてプリント出力用のドットイメージデータに展開処理され、ドットイメージメモリ４４に格納される。
　【００４５】
　そして、ドットイメージメモリ４４に格納された印字データをプリンタ６に転送するデータ転送処理制御（図６参照）が実行される（Ｓ１５）。
　【００４６】
　この制御が開始されると、先ずプリンタ状態検出処理（図７参照）が実行される（Ｓ２０）。
　【００４７】
　この制御が開始されると、先ずプリンタ６の状態つまりステータス情報の転送を要求するコマンドＳＣＭをプリンタ６に転送する転送処理が実行され、同時に、データ受信の為の所定の待機時間がソフトタイマーなどにセットされる（Ｓ３０）。即ち、このＳ３０においては、このステータス情報要求コマンドＳＣＭが通信用インターフェース３７と接続線Ｌを介してプリンタ６の通信用インターフェース５８に転送される。そして、通信用インターフェース３７を介してプリンタ６からステータス情報ＳＩが受信されないときに（Ｓ３１：Ｎｏ）、データ受信の待機時間がタイムアウトしていないときには（Ｓ３２：Ｎｏ）、Ｓ３１・Ｓ３２が繰り返して実行される。
　【００４８】
　そして、プリンタ６からステータス情報ＳＩが受信されたときには（Ｓ３１：Ｙｅｓ）、この受信したステータス情報ＳＩが解析される（Ｓ３３）。ここで、この受信されたステータス情報ＳＩとしては、特にプリンタ６のハードウェア情報や通信エラーに関する所定の複数項目からなる固定長のステータス情報である。また、このハードウェア情報には、ハードウェアエラーのデータ、印刷機構ＰＭに装着されているテープ収納カセットＣＳのテープ幅データ、テープ色データ、テープ種類データなどが含まれている。
　【００４９】
　次に、この解析結果により、通信エラーやハードウェアエラーがないときには（Ｓ３４：Ｎｏ）、ドキュメント情報メモリ４３に格納されたドキュメント情報とその受信したハードウェア情報とに基いて、文書データの作成時に設定されたテープ幅やテープ色やテープ種類からなるカセット情報が、プリンタ６の印刷機構ＰＭに装着されているテープ収納カセットＣＳのカセット情報と同一か否かが照合され、同一のカセット情報のときには（Ｓ３６：Ｙｅｓ）、この制御を終了して、データ転送処理制御のＳ２１にリターンする。
　【００５０】
　しかし、ステータス情報要求コマンドＳＣＭを転送してから所定の待機時間がタイムアウトしたとき（Ｓ３２：Ｙｅｓ）、またステータス情報ＳＩに通信エラーやハードウェアエラーが検出されたとき（Ｓ３４：Ｙｅｓ）、更に設定したカセット情報と受信したカセット情報とが異なるときには（Ｓ３６：Ｎｏ）、これら発生したエラーの種類に応じたエラーデータがＲＡＭ４０のエラーデータメモリ４５に格納され（Ｓ３７）、この制御を終了して、前記Ｓ２１にリターンする。
　【００５１】
　次に、データ転送処理制御において、カセット情報をＣＲＴディスプレイ３に表示させる表示指令がメインルーチンに対して出力される（Ｓ２１）。その結果、前記受信したステータス情報ＳＩに基いて、印刷機構ＰＭに装着されているテープ収納カセットＣＳのカセット情報であるテープ幅、テープ色、テープ種類などがＣＲＴディスプレイ３に夫々表示される。
　【００５２】
　次に、エラーデータメモリ４５のデータに基いて、エラーデータが格納されているときには（Ｓ２２：Ｙｅｓ）、そのエラーデータがメインルーチンに指令され、この制御を終了して、メインルーチンにリターンする。その結果、メインルーチンにより、そのエラーデータに対応するエラー情報がＣＲＴディスプレイ３に表示される。
　【００５３】
　一方、エラーデータメモリ４５にエラーデータが格納されていないときに（Ｓ２２：Ｎｏ）、ドットイメージメモリ４２にプリント出力用ドットイメージデータが格納されてるときには（Ｓ２３：Ｙｅｓ）、印刷データ送信処理制御（図８参照）が実行される（Ｓ２４）。ここで、ドットイメージメモリ４２には、そのドットイメージデータに先行して、サーマルヘッド１６に印加する電圧レベルの設定や印刷用テープ２５の自動カットを設定するなどの各種のモード設定データや、印刷用テープ２５をテープ送りするなどの制御コマンドが含まれている。
　【００５４】
　この制御が開始されたときに、ドットイメージメモリ４２のドットイメージデータについて送信が完了していないときには（Ｓ４０：Ｎｏ）、そのドットイメージデータが送信可能なデータ量だけプリンタ６に送信される（Ｓ４１）。そして、そのデータ送信に際して、何れのエラー情報をプリンタ６から受信しないときには（Ｓ４２：Ｎｏ）、Ｓ４０〜Ｓ４２が繰り返して実行される。そして、何らかのエラー情報を受信したときには（Ｓ４２：Ｙｅｓ）、そのエラー情報を表示するように指令され（Ｓ４３）、この制御及びデータ転送処理制御を終了して、印刷データ作成制御のＳ１０にリターンする。また、ドットイメージメモリ４２のドットイメージデータについて送信が完了したときには（Ｓ４０：Ｙｅｓ）、同様に前記Ｓ１０にリターンする。
　【００５５】
　次に、プリンタ６の制御装置Ｃ２で行なわれる印刷制御のルーチンについて、図９〜図１４のフローチャートに基いて説明する。
　【００５６】
　プリンタ６に電源が投入されるとこの制御が開始され、先ずハードウェア検査処理制御（図１０参照）が実行される。
　【００５７】
　この制御が開始されると、先ずＲＡＭなどのメモリチップに関する一般的なチェック処理が実行される（Ｓ６０）。そして、チェック処理の結果、何らエラーが検出されないときには（Ｓ６１：Ｎｏ）、前記テープ切断機構の作動の良否を検出する為に、切断駆動処理が実行される（Ｓ６２）。即ち、この切断駆動処理においては、カッター駆動モータ６５を駆動させて可動刃が１往復駆動される。そして、このカッター駆動モータ６５に連結させたエンコーダからのエンコーダ信号の有無に基いて、カッターが正常に作動しているときには（Ｓ６３：Ｎｏ）、テープ送りモータ５０を数パルス分だけ正転駆動し且つ逆転駆動したときのテープ送りモータ５０の電流値に基いて、テープ送りが正常か否かチェック処理され（Ｓ６４）、この電流値が正常であって、テープジャムが起こっていないときには（Ｓ６５：Ｎｏ）、テープエンドセンサ６４からのテープエンド検出信号ＥＳが読込まれ、「Ｌ」レベルであって、テープエンドでないときには（Ｓ６６：Ｎｏ）、この制御を終了して、印刷制御のＳ５１にリターンする。
　【００５８】
　一方、ハードウェア検査の結果、メモリチップにエラーを検出したとき（Ｓ６１：Ｙｅｓ）、或いはテープ切断機構にカッタジャムを検出したとき（Ｓ６３：Ｙｅｓ）、或いはテープジャムを検出したとき（Ｓ６５：Ｙｅｓ）、或いはテープエンドを検出したときには（Ｓ６６：Ｙｅｓ）、これら検出したハードウェアエラーに対応するエラーステータス情報がＲＡＭ５６のエラーデータメモリに格納され且つデータ作成装置２に転送され（Ｓ６７）、この制御を終了して、前記Ｓ５１にリターンする。
　【００５９】
　次に、印刷制御において、カセット情報検出処理制御（図１１参照）が実行される（Ｓ５１）。
　【００６０】
　この制御が開始されると、先ずカセットスイッチ６３からのカセット検出信号ＳＳが「Ｈ」レベルであって、テープ収納カセットＣＳが装着されているときには（Ｓ７０：Ｙｅｓ）、センサ６０〜６２からのセンサ信号に基いて、テープ幅とテープ色とテープ種類などからなるカセット情報が読出され（Ｓ７１）、このカセット情報がＲＡＭ５６のカセット情報メモリに格納され（Ｓ７２）、この制御を終了して、印刷制御のＳ５２にリターンする。
　【００６１】
　次に、印刷制御において、印刷データ受信処理制御（図１２参照）が実行される（Ｓ５２）。
　【００６２】
　この制御が開始されたときに、１バイト毎の受信データを通信用インターフェース５８が受信しているときには（Ｓ７５：Ｙｅｓ）、その受信データが通信用インターフェース５８から取り込まれる（Ｓ７６）。そして、このデータの受信時に受信エラーが発生していないときには（Ｓ７７：Ｎｏ）、その受信データが印字データとしてＲＡＭ５６の受信バッファに格納される（Ｓ７８）。次に、その受信データが改ブロックコード（頁替えの為のコード）又はデータ終了コード（テキストエンドコード）でないときには（Ｓ８０）、Ｓ７５に戻る。即ち、Ｓ８０でＮｏと判定されたときには、Ｓ７８において、受信バッファには、１バイトのドットイメージデータ或いはモード設定データ或いは制御コマンドが格納されている。
　【００６３】
　一方、データの受信時に受信エラーが発生したときには（Ｓ７７：Ｙｅｓ）、この受信エラーに関するエラーステータス情報がエラーデータメモリに格納されるとともに、データ作成装置２に転送処理され（Ｓ７９）、Ｓ８０以降が実行される。そして、格納した受信データが改ブロックコード又はデータ終了コードのとき（Ｓ８０：Ｙｅｓ）、或いはデータ受信していないときには（Ｓ７５：Ｎｏ）、この制御を終了して、印刷制御のＳ５３にリターンする。
　【００６４】
　次に、印刷制御において、コマンド解析処理制御（図１３参照）が実行される（Ｓ５３）。
　【００６５】
　この制御が開始されたときに、受信バッファに受信データが格納されているときには（Ｓ８５：Ｙｅｓ）、その受信データについて解析され、データ作成装置２から転送されたステータス要求コマンドＳＣＭのときには（Ｓ８６：Ｙｅｓ）、プリンタ６に関するハードウェア情報や通信エラーに関する所定の複数項目からなる固定長のステータス情報ＳＩが作成され、このステータス情報ＳＩが通信用インターフェース５８と接続線Ｌを介してデータ作成装置２に転送され（Ｓ８７）、Ｓ８５に戻る。ここで、そのハードウェア情報には、ハードウェアエラーのデータ、印刷機構ＰＭに装着されているテープ収納カセットＣＳのテープ幅データ、テープ色データ、テープ種類データなどのカセット情報が含まれている。
　【００６６】
　次に、前記受信データを解析した結果、印字データに先行して受信した制御コマンドに含まれるモードセットコマンドのときには（Ｓ８５：Ｙｅｓ、Ｓ８６：Ｎｏ、Ｓ８８：Ｙｅｓ）、サーマルヘッド１６に印加する電圧レベルの設定や印刷用テープ２５の自動カットを設定するなどのセットコマンドに対応するモード設定が実行され（Ｓ８９）、Ｓ８５に戻る。一方、受信バッファの受信データが上述したステータス要求コマンドＳＣＭやモードセットコマンド以外のときつまり印字データのときには（Ｓ８５：Ｙｅｓ、Ｓ８６・Ｓ８８：Ｎｏ）、直ぐにＳ８５に戻る。そして、受信バッファの全ての受信データについてコマンド解析したときには（Ｓ８５：Ｎｏ）、この制御を終了して、印刷制御のＳ５４にリターンする。
　【００６７】
　次に、印刷制御において、印刷処理制御（図１４参照）が実行される（Ｓ５４）。
　【００６８】
　この制御が開始されたときに、カセットスイッチ６３から「Ｌ」レベルのカセット検出信号ＳＳが出力されており、テープ収納カセットＣＳが装着されていないときには（Ｓ９１：Ｎｏ）、テープ収納カセットＣＳが装着されていない旨のエラーを含むステータス情報がデータ作成装置２に転送され（Ｓ１０９）、この制御を終了して、印刷制御のＳ５０にリターンする。
　【００６９】
　しかし、カセットスイッチ６３から「Ｈ」レベルのカセット検出信号ＳＳが出力されており、テープ収納カセットＣＳが装着されているときには（Ｓ９１：Ｙｅｓ）、受信バッファ内に格納されている文書データの先頭アドレスがデータポインタＰにセットされ（Ｓ９２）、このデータポインタＰで指示するアドレスに印字データが格納されているときには（Ｓ９３：Ｙｅｓ）、そのデータポインタＰで指示するアドレスのデータが読込まれる（Ｓ９４）。そして、このデータが改ブロックコードやデータ終了コードでないときには（Ｓ９５・Ｓ９６：Ｎｏ）、そのデータつまりドットイメージデータがＲＡＭ５６の印字バッファに展開され（Ｓ９８）、データポインタＰが１つインクリメントされ（Ｓ９９）、Ｓ９３に戻る。
　【００７０】
　次に、データポインタＰで指示するアドレスのデータが改ブロックコードのときには（Ｓ９４、Ｓ９５：Ｙｅｓ）、印字バッファに展開されているドットイメージデータが印刷機構ＰＭにより印刷用テープ２５に印刷処理される（Ｓ１００）。次に、テープ送りモータ５０を数パルス分だけ正転駆動し且つ逆転駆動したときのテープ送りモータ５０の電流値に基いて、テープ送りが正常か否かチェック処理され（Ｓ１０１）、この電流値が正常であって、テープジャムが起こっていないときには（Ｓ１０２：Ｎｏ）、テープエンドセンサ６４からのテープエンド検出信号ＥＳが読込まれ、「Ｌ」レベルであって、テープエンドでないときには（Ｓ１０３：Ｎｏ）、セット状態のモードが検索され、自動カットモードが設定されていないときには（Ｓ１０４：Ｎｏ）、印刷用テープ２５が切断されないでＳ９３に戻る。
　【００７１】
　しかし、自動カットモードが設定されているときには（Ｓ１０４：Ｙｅｓ）、カッター駆動モータ６５が駆動され、テープ切断機構により印刷用テープ２５が切断処理される（Ｓ１０５）。次に、テープ切断機構が正常に作動しているか否かをチェックする為に、カッター駆動モータ６５を駆動させて可動刃を１往復駆動され、エンコーダからのエンコーダ信号の有無に基いて、カッターが正常に作動しているときには（Ｓ１０７：Ｎｏ）、ステータス情報が有れば、データ作成装置２に転送され（Ｓ１０８）、Ｓ９９を経てＳ９３に戻る。
　【００７２】
　次に、データポインタＰで指示するアドレスのデータがデータ終了コードのときには（Ｓ９４、Ｓ９５：Ｎｏ、Ｓ９６：Ｙｅｓ）、印字バッファに展開されているドットイメージデータが印刷機構ＰＭにより印刷用テープ２５に印刷処理される（Ｓ９７）。その後、Ｓ１０５〜Ｓ１０８・Ｓ９９が実行されてＳ９３に戻る。そして、受信バッファのデータ印刷の完了時には（Ｓ９３：Ｎｏ）、この制御を終了して、印刷制御のＳ５０にリターンする。
　【００７３】
　ところで、テープジャムが検出されたとき（Ｓ１０２：Ｙｅｓ）、テープエンド検出信号ＥＳが「Ｈ」レベルでテープエンドのとき（Ｓ１０３：Ｙｅｓ）、またカッタージャム状態のときには（Ｓ１０７：Ｙｅｓ）、これらのエラーを含むエラーステータス情報がデータ作成装置２に転送され（Ｓ１０９）、この印刷処理制御を終了して、前記Ｓ５０にリターンする。その結果、印刷処理が中止されるとともに、ＣＲＴディスプレイ３にはエラーメッセージが表示される。
　【００７４】
　以上説明したように、プリンタ６の印刷機構ＰＭに装着されたテープ収納カセットＣＳの印刷用テープ２５について、テープ幅とテープ色と種類を含むカセット情報が検出されて、両通信用インターフェース３７・５８を介してデータ作成装置２に転送され、データ作成装置２のＣＲＴディスプレイ３に表示されるので、別体であるプリンタ６の所へ移動することなく、その表示を介してテープ収納カセットＣＳの印刷用テープ２５のテープ幅とテープ色と種類とをデータ作成装置２側で簡単に認識できる。更に、この表示されたカセット情報により、所望の印刷用テープ２５か否かを確認でき、印刷用テープ２５の浪費を防止できる上、的確な印刷用テープ２５を用いて正確にプリント出力することができる。
　【００７５】
　ここで、特許請求の範囲に記載した各手段と、上記実施例中の構成との対応関係について説明すると、カセット情報検出手段に相当するものは、テープ収納カセットＣＳに設けられた第１〜第３突出片２０〜２２と、これら突出片を検出するテープ幅センサ６０、テープ色センサ６１、テープ種類を検出する種類センサ６２であり、情報転送手段に相当するものは、通信用インターフェース５８とコマンド解析処理制御の特にＳ８７であり、情報表示制御手段に相当するものは、通信用インターフェース３７とデータ転送処理制御の特にＳ２１である。
　【００７６】
　尚、カセット情報は、文書データの入力処理中や編集処理中に出力されたステータス要求コマンドに応じて、随時、カセット情報を含むステータス情報をプリンタ６からデータ作成装置２に転送するようにしてもよい。尚、１台のプリンタ６に複数のデータ作成装置２を接続したシステム的なテープ印刷装置を構成した場合には、ステータス情報要求コマンドが指令されたデータ作成装置にカセット情報を含むステータス情報を出力するようにしてもよい。尚、本発明の技術的思想の範囲内において、前記実施例の制御に関し、既存の技術や当業者に自明の技術に基いて種々の変更を加えることもあり得る。尚、ディスプレイやキーボードやプリンタを備えた種々のテープ印刷装置に本発明を適用し得ることは勿論である。
　【００７７】
　【発明の効果】
　以上説明したように、請求項１のテープ印刷装置によれば、テーププリンタは、カセット情報検出手段と、カセット情報送信手段とを備え、データ作成装置は、カセット情報受信手段と、表示手段とを備えたことにより、
前記テープカセットに形成されたカセット情報表示部は、
に収納された巻装されたテープの幅に関する情報を表示し、そ
の幅
の幅
　また、カセット情報照合手段を備えたことにより、前記データ作成装置により出力用のドットイメージデータを作成したときに設定されたカセット情報と、前記テーププリンタのカセット情報検出手段により検出されたカセット情報とが同一でない場合にはその旨が前記表示手段に表示されるので、所望のテープでない場合にはテープの浪費を防止することができる。
　【００７８】
　また、請求項２のテープ印刷装置によれば、前記テープカセットに形成されたカセット情報表示部は、テープカセット
に収納された
色
色
　【００７９】
　また、請求項３のテープ印刷装置によれば、前記テープカセットに形成されたカセット情報表示部は、テープカセットに
に収納された
種類
種類
　【００８０】
【図面の簡単な説明】
　【図１】請求項１の構成を示す機能ブロック図である。
　【図２】テープ印刷装置の斜視図である。
　【図３】印刷機構の概略平面図である。
　【図４】テープ印刷装置の制御系のブロック図である。
　【図５】印刷データ作成制御のルーチンの概略フローチャートである。
　【図６】データ転送処理制御のルーチンの概略フローチャートである。
　【図７】プリンタ状態検出処理制御のルーチンの概略フローチャートである。
　【図８】印刷データ送信処理制御のルーチンの概略フローチャートである。
　【図９】印刷制御のルーチンの概略フローチャートである。
　【図１０】ハードウェア検査処理制御のルーチンの概略フローチャートである。
　【図１１】カセット情報検出処理制御のルーチンの概略フローチャートである。
　【図１２】印刷データ受信処理制御のルーチンの概略フローチャートである。
　【図１３】コマンド解析処理制御のルーチンの概略フローチャートである。
　【図１４】印刷処理制御のルーチンの概略フローチャートである。
　【符号の説明】
　１　テープ印刷装置
　３　ＣＲＴディスプレイ
　４　キーボード
　６　プリンタ
　２５　印刷用テープ　
　１６　サーマルヘッド
　２０　第１突出片
　２１　第２突出片　
　２２　第３突出片
　３３　ＣＰＵ　
　３４　ハードディスクドライブ装置
　４０　ＲＡＭ
　４１　テキストメモリ
　５４　ＣＰＵ
　５５　ＲＯＭ
　５６　ＲＡＭ
　６０　テープ幅センサ
　６１　テープ色センサ
　６２　種類センサ
　Ｃ１　制御装置
　Ｃ２　制御装置
　ＣＳ　テープ収納カセットＣＳ
　ＰＭ　印刷機構